(57)【要約】【課題】正確な位置への容易な貼付が可能で、且つ、多種多様なカテーテル固定方法にも対応し得るカテーテル固定具を提供すること。【解決手段】上面及び底面を有する基材と、前記基材の底面の少なくとも一部を被覆する粘着剤層と、を備えるカテーテル固定具であって、前記基材は、カテーテル固定時にカテーテルの穿刺部が観察可能な穿刺部固定部と、前記穿刺部固定部の周囲の一部又は全部を囲み前記穿刺部固定部より変形しにくいが伸長性を有する補強部と、を備え、前記補強部は、前記補強部周縁部の対向する位置に設けられる一対の窪み部と、前記窪み部に隣接する一対の固定片部と、前記一対の固定片部の間において前記補強部周縁部に形成されるカテーテルを沿わすための切欠き部と、を備え、前記一対の固定片部は、カテーテル固定時には、カテーテルの下面に位置するよう皮膚に貼付可能となるカテーテル固定具を提供する。【選択図】図３
2014045874.tif 000002
【特許請求の範囲】
【請求項１】
上面及び底面を有する基材と、
前記基材の底面の少なくとも一部を被覆する粘着剤層と、
を備えるカテーテル固定具であって、
前記基材は、カテーテル固定時にカテーテルの穿刺部が観察可能な穿刺部固定部と、前記穿刺部固定部の周囲の一部又は全部を囲み前記穿刺部固定部より変形しにくいが伸長性を有する補強部と、を備え、
前記補強部は、前記補強部周縁部の対向する位置に設けられる一対の窪み部と、前記窪み部に隣接する一対の固定片部と、前記一対の固定片部の間において前記補強部周縁部に形成されるカテーテルを沿わすための切欠き部と、を備え、
前記一対の固定片部は、カテーテル固定時には、カテーテルの下面に位置するよう皮膚に貼付可能となるカテーテル固定具。
【請求項２】
前記基材における穿刺部固定部と補強部とが、別素材で形成される請求項１記載のカテーテル固定具。
【請求項３】
前記基材の底面側に設置され、カテーテルの穿刺部が観察可能な貫通開口を有したパッドが備えられた請求項１または２に記載のカテーテル固定具。
【請求項４】
前記パッドは、抗菌性を有する請求項３記載のカテーテル固定具。
【請求項５】
前記穿刺部固定部には、前記補強部と前記パッドとで区画され、カテーテルの穿刺部位および／または皮膚が観察可能な観察補助部が備えられた請求項３または４に記載のカテーテル固定具。
【請求項６】
前記粘着剤層を被覆する剥離シートが備えられ、
前記剥離シートは、少なくとも前記穿刺部固定部を被覆する第１剥離シートと、少なくとも前記固定片部を被覆する第２剥離シートと、を含む請求項１から５のいずれか一項に記載のカテーテル固定具。
【発明の詳細な説明】
【技術分野】
【０００１】
本発明は、体内に挿入されるチューブ、カニューレ、ドレーン等のカテーテル（以下、単にカテーテルという。）を体表面に固定するためのカテーテル固定具に関する。より詳しくは、少なくともカテーテルの穿刺部を固定するためのカテーテル固定具に関する。
【背景技術】
【０００２】
医療分野において、薬剤投与、栄養管理、体液の排出、モニタリング等を目的として、カテーテルを体内に留置することが行われている。この種のカテーテルは、その目的とする処置に応じて、数時間ないし数日間留置されることがある。この際、患者からカテーテルが脱落したり、逆に内部へ過度に挿入されたりしないように、カテーテルを体表面の所定の位置に確実に固定する必要がある。
【０００３】
また、カテーテルの穿刺部は、その周囲の汚染などにより感染源となり易いため、細菌や液体の侵入防止や、穿刺部の定期的な観察が必要となる。そのため、カテーテルの穿刺部の固定においては、菌や液体の侵入を防止でき、穿刺部の観察も容易な、順応性の高い薄いプラスチックフィルムからなるシート状の貼付材が広く使用されている。
【０００４】
例えば、特許文献１には、カニューレを挿入するための凹部を備え、粘着剤層に抗炎症性物質が含有されたカニューレ用粘着性手当用品が開示されている。また、特許文献２には、カテーテルを挿入した血管を観察することが可能な透明材料層で覆われた窓部開口と、カテーテルの挿入によってできた傷から滲み出た血液や体液を吸収可能なパッドと、を備えた血管カテーテル手当用品が開示されている。更に、特許文献３には、カテーテル挿入部位においてカテーテルを受け入れ且つ保持するための少なくとも１つの空所を有し、取り外し可能で、カテーテル挿入部位の近辺に微生物の成長を阻止する領域を形成するために十分な量の抗微生物剤を含んだ弾性パッドを備えたカテーテル挿入部位保護装置が開示されている。
【０００５】
ところで、カテーテルは、その目的とする処置や患者の状態などに応じて、体の様々な部位から挿入され、その種類や形態も様々である。また、用いるカテーテルの種類などによって、体表面に固定する部分に凸凹のある複雑な構造の部品が接続されることもあり、このようなカテーテルを体表面に確実に固定するためにも、カテーテルを固定する貼付材は、適度な柔軟性を有することが好ましい。
【０００６】
しかしながら、柔軟性が高い貼付材は、様々な部位および様々な形態のカテーテルに対応できるという反面、自己支持性が低いという問題がある。特に、実際の現場では、カテーテルの穿刺部を片手で押さえ、片手が不自由な状態で貼付材を取り扱うため、柔軟性が高すぎる貼付材は、使用する際に折り目が付いて皺になったり、粘着剤層同士が自己接着を起こして使用不能になったりする問題がある。さらに、使用中においては、貼付材の周縁部にかかる外部からの摩擦や、体動に伴うカテーテルの引張や位置ズレにより、薄く柔軟な貼付材の周縁部がめくれあがったり、固定しているカテーテル周囲に浮きや隙間ができたりする。
【０００７】
このような貼付材の薄さや柔軟性に起因する貼付材の固定部位からの剥がれや、皮膚との間の浮きや隙間は、外部からの菌侵入の経路となり、カテーテル穿刺部の感染リスクとなる。そのため、貼付材でカテーテルを固定する際には、カテーテル穿刺部近傍での感染有無の観察に加え、貼付材周縁部での浮きや剥がれ等にも十分注意し、菌や汚染物に対する穿刺部への高いバリア性を保持する必要がある。この点、前述した特許文献２の貼付材は、フィルムのような柔軟な透明材料の周囲を不織布等の繊維材料で支持しているため、カテーテルの穿刺部の近傍を観察しながら、貼付材の周縁部の剥がれ等を低減できるものと考えられる。
【先行技術文献】
【特許文献】
【０００８】
【特許文献１】特表平０４−５０１３７１号公報
【特許文献２】特表平０６−５０４６９４号公報
【特許文献３】特開平０９−１８２８０１号公報
【発明の概要】
【発明が解決しようとする課題】
【０００９】
カテーテルの固定においては、前述のとおり、（i）カテーテル穿刺部の観察性、（ii）菌等の汚染物の侵入を防ぐカテーテル穿刺部のバリア性、が特に重要であるが、さらに（iii）カテーテルのチューブや接続部品による皮膚への圧迫や刺激の軽減、も重要な事項である。カテーテルの皮膚への過度な圧迫は皮膚障害を引き起こす虞があり、また、カテーテル接触による皮膚痒感の発生は掻き毟り動作を誘発し、皮膚損傷、貼付材の剥離等を引き起こすことがあり、カテーテルの抜去や感染のリスクも高まる虞がある。
【００１０】
このような皮膚への圧迫や刺激を防ぐために、貼付材を適宜カットして貼付材の形状や貼り方を変えたり、何枚もの粘着テープ片を重ね貼りしたりする等して、現場で様々な工夫が検討されている。そして、実際の医療現場において、カテーテルの固定方法は、医療従事者それぞれの手技の違いやカテーテルの形態などによって、多種多様となっている。しかしながら、カテーテルは、日々非常に多くの患者・処置がその使用対象となっており、人体への影響も大きな処置となることから、その固定手技はできるだけ標準化することが望ましい。つまり、個々人のカテーテルの固定手技によって、カテーテルの固定力や皮膚への負担等の程度がばらつかず、誰が行なっても一定の水準でカテーテルの固定管理が行えることが望ましい。
【００１１】
そこで、本発明では、カテーテル穿刺部における観察性とバリア性を維持し、皮膚刺激等の負担も軽減でき、多種多様なカテーテル固定に簡便に対応できるカテーテル固定具を提供することを主目的とする。
【課題を解決するための手段】
【００１２】
本願発明者は、前記課題を解決するために、鋭意研究を行った結果、カテーテルの穿刺部を固定する部分と、それ以外の部分の機能および形態が重要であることを突き止め、本発明を完成させるに至った。
【００１３】
即ち、本発明では、まず、上面及び底面を有する基材と、
前記基材の底面の少なくとも一部を被覆する粘着剤層と、
を備えるカテーテル固定具であって、
前記基材は、カテーテル固定時にカテーテルの穿刺部が観察可能な穿刺部固定部と、前記穿刺部固定部の周囲の一部又は全部を囲み前記穿刺部固定部より変形しにくいが伸長性を有する補強部と、を備え、
前記補強部は、前記補強部周縁部の対向する位置に設けられる一対の窪み部と、前記窪み部に隣接する一対の固定片部と、前記一対の固定片部の間において前記補強部周縁部に形成されるカテーテルを沿わすための切欠き部と、を備え、
前記一対の固定片部は、カテーテル固定時には、カテーテルの下面に位置するよう皮膚に貼付可能となるカテーテル固定具を提供する。
本発明に係るカテーテル固定具は、前記補強部を、前記穿刺部固定部に比べて変形しにくいにも関わらず伸長性を有する材料で形成し、また、前記補強部に、前記窪み部、前記固定片部、および前記切欠き部を備えることで、カテーテル固定時において、前記一対の固定片部を、カテーテルの下面に位置するよう皮膚に貼付することを可能とした。即ち、本発明に係るカテーテル固定具の固定片部は、カテーテルの下面で皮膚に貼付することができる程に、自在に貼付部位を変更させることが可能である。
なお、「カテーテルの下面に位置するよう皮膚に貼付可能」とは、前記固定片部の貼付部位の変更可能な程度（形態）を示しており、本発明に係るカテーテル固定具の貼付方法を限定するものではない。言い換えれば、カテーテル固定時において、前記固定片部をカテーテルの下面に位置するよう皮膚に貼付しなくとも、カテーテルの下面に位置するように皮膚に貼付可能であれば、そのカテーテル固定具は、本発明に包含される。
本発明に係るカテーテル固定具の基材を形成する穿刺部固定部と補強部は、別素材で形成することができる。
本発明に係るカテーテル固定具には、基材の底面側に設置され、カテーテルの穿刺部が観察可能な貫通開口を有したパッドを更に備えることもできる。
この際、前記パッドとしては、抗菌性を有するパッドを採用することができる。
本発明に係るカテーテル固定具の穿刺部固定部には、補強部とパッドとで区画され、カテーテルの穿刺部位および／または皮膚が観察可能な観察補助部を更に備えることができる。
本発明に係るカテーテル固定具には、粘着剤層を被覆する剥離シートを更に備えることができる。この剥離シートは、少なくとも前記穿刺部固定部を被覆する第１剥離シートと、少なくとも前記固定片部を被覆する第２剥離シートと、で形成することができる。
【００１４】
ここで、本発明で使用する技術用語について定義付けを行う。
本発明において「カテーテル」とは、針など穿刺部の部品、薬液や排液を運搬するチューブ状の部品、穿刺部の部品とチューブ状の部品とを接続する接続部品などのカテーテル処置に用いるこれらの部品、およびこれらの部品を適宜組み合わせた状態のものを全て包含する概念である。
本発明において「伸長性を有する補強部」とは、補強部を引っ張ったときに、引張方向に変形し引き伸ばされる特性をいい、一度引っ張って伸長した後に、もとの形状に戻ろうとする「伸縮性」の特性をもつものも包含する概念である。なお、引っ張った後に変形せず、補強部を形成する材料が破壊され、補強部が千切れたり、分割したりする場合は、「伸長性を有する」には該当しないものとする。
【発明の効果】
【００１５】
本発明に係るカテーテル固定具は、カテーテルの穿刺部が観察可能で、さらに柔軟な穿刺部固定部周囲を適度な腰をもつ補強部で支持する構造を有するため、正確な位置への容易な貼付が可能である。また、本発明に係るカテーテル固定具は、固定片部の貼付部位を適宜調節することができるため、カテーテルの接触による皮膚刺激等の負担を軽減し、しかも多種多様なカテーテル固定に簡便に対応できる。
【図面の簡単な説明】
【００１６】
【図１】（Ｉ）は、本発明に係るカテーテル固定具１の第１実施形態を上面から視た上面視模式平面図であり、（II）は、（Ｉ）のＡ−Ａ’方向から視たＡ−Ａ’矢視断面模式図である。
【図２】本発明に係るカテーテル固定具１の第２実施形態の断面模式図である。
【図３】（Ｉ）は、本発明に係るカテーテル固定具１の第３実施形態を上面から視た上面視模式平面図であり、（II）は、（Ｉ）のＡ−Ａ’方向から視たＡ−Ａ’矢視断面模式図である。
【図４】本発明に係るカテーテル固定具１の第４実施形態を上面から視た上面視模式平面図である。
【図５】本発明に係るカテーテル固定具１の第５実施形態を上面から視た上面視模式平面図である。
【図６】本発明に係るカテーテル固定具１の第６実施形態を上面から視た上面視模式平面図である。
【図７】（Ｉ）は、本発明に係るカテーテル固定具１の第７実施形態を底面から視た底面視模式平面図であり、（II）は、（Ｉ）のＡ−Ａ’方向から視たＡ−Ａ’矢視断面模式図である。
【図８】（Ｉ）は、本発明に係るカテーテル固定具１の第８実施形態を底面から視た底面視模式平面図であり、（II）は、本発明に係るカテーテル固定具１の第８実施形態を側面方向から視た側面模式図である。
【図９】本発明に係るカテーテル固定具１の使用方法の一例を示す概念図であり、（Ｉ）は、本発明に係るカテーテル固定具１を用いてカテーテルＣを固定した状態を上面から視た上面視平面模式図であり、（II）は、本発明に係るカテーテル固定具１を用いてカテーテルＣを固定した状態を側面から視た側面模式図である。
【発明を実施するための形態】
【００１７】
以下、本発明を実施するための好適な形態について、図面を参照しながら詳細に説明する。なお、以下に説明する実施形態は、本発明の代表的な実施形態の一例を示したものであり、これにより本発明の範囲が狭く解釈されることはない。
【００１８】
図１（Ｉ）は、本発明に係るカテーテル固定具１の第１実施形態を上面から視た上面視模式平面図であり、図１（II）は、（Ｉ）のＡ−Ａ’方向から視たＡ−Ａ’矢視断面模式図である。本発明に係るカテーテル固定具１は、大別して、基材２と、粘着剤層３と、を備える。そして、基材２は、（１）穿刺部固定部２１と、（２）補強部２２と、を備える。更に、（２）補強部２２は、（ａ）窪み部２２１と、（ｂ）固定片部２２２と、（ｃ）切欠き部２２３と、を備えることを特徴とする。
【００１９】
また、必要に応じて、（１）穿刺部固定部２１には（ａ）観察補助部２１２を備えることができ、更に、パッド４、剥離シート５を備えることも可能である。以下、各部について、詳細に説明する。
【００２０】
＜基材２＞
本発明に係るカテーテル固定具１において、基材２は、穿刺部固定部２１と、補強部２２と、を備える。
穿刺部固定部２１は、カテーテル固定時にカテーテルの穿刺部が観察可能であることを特徴とする。なお、穿刺部固定部２１は、その全面において穿刺部を観察できなくてもよい。即ち、例えば、後述するパッド４などにより穿刺部固定部２１の一部が覆われた状態であっても、パッド４の形状、配置などにより、観察可能なスペースが確保されていればよい。
【００２１】
補強部２２は、穿刺部固定部２１の周囲の一部又は全部を囲み、穿刺部固定部２１より変形しにくいが伸長性を有することを特徴とする。補強部２２は、穿刺部固定部２１より単位面積当たりの重量や厚さが大きい素材で形成する等、その素材や形態を穿刺部固定部２１のものと変えることで、穿刺部固定部２１よりも腰があり変形しにくい特性を有している。補強部２２は、そこに荷重をかけて引張ったときに、引張方向に変形し引き伸ばされる伸長性を有する。補強部２２の伸長性は、引張する少なくとも任意の１方向に伸長性を有すればよく、引張する任意の複数方向に対して伸長性を有していても良い。
また、補強部２２は、貼付時の取扱い性、貼付後の周辺部の浮きや剥離を防ぐために、穿刺部固定部２１周囲の少なくとも６０％以上を囲むことが好ましく、穿刺部固定部２１周囲の全部を囲むことが更に好ましい。
【００２２】
補強部２２の具体的な伸長特性は、引張する少なくとも任意の１方向に対して、破断時の伸長率が５〜５００％であることが好ましく、１０〜２００％であることがさらに好ましい。補強部２２の破断時の伸長率が５％未満であると、補強部が皮膚の伸展に追従し難くなり貼付中に違和感を生じる恐れがあり、また後述する補強部２２の固定片部２２２をカテーテルや皮膚の所望の位置に動かしたり順応させたりすることが困難となり、無理に固定片部２２２を動かそうとすると、皮膚やカテーテルに過度なテンションがかかり、皮膚刺激や補強部の剥がれの原因となる。他方、補強部２２の伸び率が５００％より大きいと、補強部２２に皺やよれが発生し易くなり、カテーテル固定具の所望の位置への貼付が困難となり、また、使用中においては、カテーテルの動きや外部からの摩擦等に対して補強部周囲が剥がれ易くなる恐れがある。
【００２３】
本発明における補強部２２の破断時の伸長率は次のように求めることができる。カテーテル固定具から採取した略矩形の試験片（例えば１０ｍｍ×２０ｍｍ）を用いて、その試験片の破断時の伸びから、以下の数式（１）を用いて伸長率（％）を算出する。測定は、引張試験機（例えば島津製作所製商品名「オートグラフＡＧ−Ｉ」）を用いて、引張速度１００ｍｍ／ｍｉｎの条件で伸長する任意の１方向について測定する。
【００２４】
【数１】
2014045874.tif 000003
【００２５】
穿刺部固定部２１および補強部２２の前記特徴を確保するための具体的な基材２の構成としては、例えば、図１に示す第１実施形態のように、伸長性を有し、かつ、カテーテルの穿刺部が観察可能な視認性を有する合成樹脂フィルム等の透明または半透明の材料２ａに、穿刺部固定部２１を残し補強部２２部分のみに、不織布等の別の素材からなる伸長性を有する材料２ｂを積層する構成を挙げることができる。
【００２６】
また、例えば、図２に示す第２実施形態のように、穿刺部固定部２１および補強部２２を、伸長性を有し、かつ、カテーテルの穿刺部が観察可能な視認性を有する合成樹脂フィルム等の透明または半透明の同一の素材で形成し、穿刺部固定部２１に比べて補強部２２部分を厚く設計した構成であっても、穿刺部固定部２１および補強部２２の前記特徴を確保することができる。
【００２７】
カテーテルの穿刺部が観察可能な視認性を有する（透明または半透明などの）素材の具体例としては、例えば、ポリウレタン、ポリエーテルポリエステル、ポリアミド、ポリエチレン、ポリプロピレン、アクリル系重合体、オレフィン系共重合体などから選ばれる１種または２種以上の素材からなる合成樹脂フィルムなどを用いることができる。これらの素材の中でも特に、ポリウレタン、ポリエーテルポリエステル、ポリアミドなどの水蒸気透過性が良好な素材を選択すれば、不感蒸散などの妨げを軽減することができる。
【００２８】
また、例えば、図１に示す第１実施形態のように、補強部２２部分に、穿刺部固定部２１を形成する素材とは別の素材からなる伸長性を有する材料２ｂを積層する場合、材料２ｂに用いる具体的な素材としては、例えば、不織布、編布、織布などの繊維基材、多数の微小気泡が形成された合成樹脂からなるフォーム基材等を用いることができる。
【００２９】
更に、基材２を合成樹脂からなる繊維基材で構成し、この繊維基材の所定部分を熱により溶融し繊維状からフィルム状として視認可能とすることで、穿刺部固定部２１を設けるように構成しても、穿刺部固定部２１および補強部２２の前記特徴を確保することができる。この場合、繊維状のままの部分が補強部２２として機能し、熱により溶融し繊維状からフィルム状になった部分が穿刺部固定部２１として機能する。なお、この際、繊維基材に、前記の伸長性を有し、かつ、視認性を有する合成樹脂フィルム等の透明または半透明の素材を積層して積層基材としてもよい。
【００３０】
基材２に繊維基材を用いる場合、その具体的な材料としては、例えば、ポリエチレンテレフタレート、ポリブチレンテレフタレートなどのポリエステル；ポリウレタン；ポリエチレン、ポリプロピレンなどのポリオレフィン；エチレン・酢酸ビニル共重合体（ＥＶＡ）、エチレン・エチルアクリレート共重合体（ＥＥＡ）、エチレン・メチルアクリレート共重合体（ＥＭＡ）、エチレン・メチルメタクリレート共重合体（ＥＭＭＡ）、エチレン・メタクリル酸重合体（ＥＭＡＡ）、エチレン・アクリル酸共重合体（ＥＡＡ）などのオレフィン系共重合体；ナイロン６、ナイロン６６などのポリアミド；ポリスチレン；シリコーンなどが挙げられる。これらの材料は、単一で使用することもできるし、二種類以上を混合して使用してもよい。この中でも本発明では特に、透湿性、伸縮性を有するポリエステルエラストマー、ポリウレタンエラストマーが好ましく、ポリエステルエラストマーがより好ましい。
補強部２２は、穿刺部固定部２１より単位面積当たりの重量や厚さが大きい素材で形成することにより、穿刺部固定部２１よりも腰があり変形しにくい特性を持たせることができる。
穿刺部固定部２１を構成する素材の単位面積当たりの重量としては、補強部２２のものより小さくし、５〜１５０ｇ／ｍ２であることが好ましく、１０〜１００ｇ／ｍ２であることがより好ましい。
穿刺部固定部２１を構成する素材の厚さとしては、補強部２２のものより小さくし、５〜１５０μｍの範囲にすることが好ましく、１０〜５０μｍの範囲にすることがより好ましい。
補強部２２を構成する素材の単位面積当たりの重量としては、穿刺部固定部２１のものより大きくし、１０〜３００ｇ／ｍ２であることが好ましく、２０〜２００ｇ／ｍ２であることがより好ましい。
補強部２２を構成する素材の厚さとしては、穿刺部固定部２１のものより大きくし、１０〜３００μｍの範囲にすることが好ましく、２０〜２００μｍの範囲にすることがより好ましい。
【００３１】
補強部２２および穿刺部固定部２１を構成する各素材の単位面積当たりの重量と厚さを、上記数値範囲にすることで、基材の取扱い性が向上し正確な位置への容易な貼付が可能で、さらに、穿刺部近傍の皮膚やカテーテルに対し高い密着性とバリア性を確保でき、補強部周縁部においては皮膚からの浮きや剥がれを抑えることができる。
【００３２】
基材２を積層材料で構成する場合、その積層方法は、本発明の効果を損なわない限り特に限定されないが、例えば、熱によるラミネーション、粘着剤や接着剤を用いた積層方法を挙げることができる。
以上説明した基材２には、本発明の効果を損なわない程度において、酸化防止剤、帯電防止剤、無機充填剤、滑剤、顔料、染料、抗菌剤などを添加、処理することも可能である。
【００３３】
以下、基材２を構成する穿刺部固定部２１および補強部２２の具体的な形状について、それぞれ詳細に説明する。
（１）穿刺部固定部２１
穿刺部固定部２１の具体的形状は、カテーテル固定時にカテーテルの穿刺部が観察可能な形状であれば特に限定されず、自由な形状に設計することができる。例えば、図１に示す第１実施形態のような形状に限らず、円形、楕円形や、三角形、長方形、菱形などの多角形、これらの形状を適宜組み合わせた形状などに設計することができる。
【００３４】
（ａ）観察補助部２１２
穿刺部固定部２１には、図３に示す第３実施形態のように、カテーテルの穿刺部位および／または皮膚が観察可能な観察補助部２１２を備えることができる。前述した通り、穿刺部固定部２１は、その全面において穿刺部を観察できなくてもよく、例えば、後述するパッド４などにより穿刺部固定部２１の一部が覆われた状態であっても、パッド４の形状、配置などにより、観察可能なスペースが確保されていればよい。言い換えると、穿刺部固定部２１の一部において、カテーテルの穿刺部位の観察を行うことができればよい。しかし、実際にカテーテルを留置した患者においては、穿刺部位以外においても、例えば、穿刺部の数ミリ〜数センチ先において炎症反応が見られる場合がある。そこで、穿刺部固定部２１には、カテーテルの穿刺部が観察可能なメインの観察部位２１１に加えて、カテーテルの穿刺部位および／または皮膚が観察可能なメインの観察部位２１１とは異なる観察補助部２１２を設けることができる。
【００３５】
観察補助部２１２は、補強部２２と後述するパッド４とで区画される。なお、パッド４は、十分な穿刺部の観察視野を確保できるように、図４に示す第４実施形態のように、穿刺部固定部２１と補強部２２との境目に配置することも可能である。一方、パッド４は、後述するように、穿刺部からの血液や滲出液を吸収し、穿刺部周囲に抗菌作用をおよぼすために、できるだけ穿刺部近傍に配置されることが好ましい。この点、パッド４を、図３に示す第３実施形態のように、穿刺部固定部２１と補強部２２との境目から固定片部２２２方向へずらした位置に配置することにより、パッド４をカテーテル穿刺部により近く配置することができ、また、炎症反応が見られる可能性の高い穿刺部の数ミリ〜数センチ先に観察補助部２１２が区画され、炎症反応の十分な観察視野を確保することができる。
【００３６】
なお、穿刺部固定部２１の観察補助部２１２およびメインの観察部位２１１は、カテーテルの穿刺部位および／または皮膚が観察可能であればよく、本発明に係るカテーテル固定具１の貼付位置を限定するものではない。即ち、カテーテル固定具１の貼付位置や貼付方法によっては、穿刺部固定部２１の観察補助部２１２およびメインの観察部位２１１においてカテーテルの穿刺部位および／または皮膚が観察できなかったとしても、貼付位置や貼付方法を変更することによって、カテーテルの穿刺部位および／または皮膚が観察できるカテーテル固定具１であれば、本発明に包含される。
【００３７】
（２）補強部２２
補強部２２は、（ａ）窪み部２２１と、（ｂ）固定片部２２２と、（ｃ）切欠き部２２３と、を備えることを特徴とする。
【００３８】
（ａ）窪み部２２１
窪み部２２１は、補強部周縁部の対向する位置に一対で設けられる。本発明に係るカテーテル固定具１には、この窪み部２２１と、後述する切欠き部２２３と、が備えられていることにより、後述する固定片部２２２について目的に応じた様々な貼付方法を行った場合にも、皺や剥がれが発生し難くなり、固定片部２２２の貼付部位を自在に変更可能とする。
【００３９】
窪み部２２１の具体的な形状は、本発明の効果を損なわない限り特に限定されず、後述する固定片部２２２の可動域の設定などに応じて、自由に設計することができる。本発明では特に、カテーテル固定具１の横幅Ｌ１と、それぞれの窪み部２２１の深さＬ２との比率（Ｌ２／Ｌ１）が、Ｌ２／Ｌ１＝１／３〜１／２０となることが好ましく、この範囲とすることで、貼付時に皮膚やカテーテルへの順応性と固定片部２２２の適度な可動域が確保できる。
【００４０】
（ｂ）固定片部２２２
固定片部２２２は、補強部２２の前記窪み部２２１に隣接して一対で設けられる。本発明に係るカテーテル固定具１では、この固定片部２２２の貼付部位を自在に変更することができるため、多種多様なカテーテル固定方法に対応することを可能としている。
固定片部２２２の具体的な形状は、本発明の効果を損なわない限り特に限定されず、固定片部２２２を貼付する部位、目的の貼付方法などに応じて、自由に設計することができる。
【００４１】
（ｃ）切欠き部２２３
切欠き部２２３は、一対の固定片部２２２の間において補強部周縁部に形成される。本発明に係るカテーテル固定具１には、この切欠き部２２３と、前記の窪み部２２１と、が備えられていることにより、固定片部２２２について目的に応じた様々な貼付方法を行った場合にも、皺や剥がれが発生し難くなり、固定片部２２２の貼付部位を自在に変更可能とする。
【００４２】
切欠き部２２３の具体的な形状は、本発明の効果を損なわない限り特に限定されず、固定片部２２２の可動域の設定などに応じて、自由に設計することができる。本発明では特に、カテーテル固定具１の横幅Ｌ１に対して、切欠き部２２３の切欠きの深さＬ３との比率（Ｌ３／Ｌ１）が、Ｌ３／Ｌ１＝１／０．５〜１／５となることが好ましく、この範囲とすることで、貼付時に皮膚やカテーテルへの順応性と固定片部２２２の適度な可動域が確保できる。
【００４３】
＜粘着剤層３＞
本発明に係るカテーテル固定具１において、粘着剤層３は、基材２の底面の少なくとも一部を被覆する。粘着剤層３は、基材２の底面全てを被覆してもよいが、例えば、補強部２２の底面のみを被覆したり、後述するパッド４を設置する場合にはパッド４が設置されていない底面のみを被覆したり、さらには、ドット状、格子状、波状等の所定のパターン模様で被覆したりすることも可能である。
【００４４】
本発明に係るカテーテル固定具１において、粘着剤層３に用いることができる粘着剤の種類は、本発明の効果を損なわない限り特に限定されず、カテーテル固定具に用いることが可能な粘着剤を１種または２種以上自由に選択して用いることができる。具体的には、例えば、シリコーン系、アクリル系、ゴム系、ウレタン系などの粘着剤が挙げられる。この中でも本発明では特に、耐熱性の高いシリコーン系、アクリル系が好ましく、特にシリコーン系が好ましい。また、これらの粘着剤に、親水性物質を加えた、所謂ハイドロコロイド粘着剤を用いることも可能である。本発明に係るカテーテル固定具１の粘着剤層３に、ハイドロコロイド粘着剤を用いれば、汗や創傷からの滲出液を吸収することができ、蒸れによるカブレや掻痒感を軽減することができる。また、粘着剤層３には、保湿剤等の生理活性剤、抗菌剤、紫外線カット剤、無機充填剤などを適宜添加してもよい。
【００４５】
また、本発明に係るカテーテル固定具１において、使用される粘着剤は、視認性があることが好ましく、透明又は半透明であることが好ましい。具体的には、光透過率（波長５５０ｎｍ）が１０％以上あることが好ましく、１５％以上あることがさらに好ましい。
【００４６】
本発明に係るカテーテル固定具１において、粘着剤層３の厚さは、本発明の効果を損なわない限り特に限定されないが、１０〜５００μｍであることが好ましく、１０〜２００μｍであることがより好ましい。粘着剤の塗工重量で表すと、１０〜５００ｇ／ｍ２の範囲が好ましく、２０〜１５０ｇ／ｍ２の範囲がより好ましい。粘着剤層３の厚さがこの範囲内にあることにより、貼付時に適度な粘着力を示し、体表面などに対する密着性及び追従性にも優れ、良好な透湿度を得ることができる。
【００４７】
＜パッド４＞
本発明に係るカテーテル固定具１には、図３に示す第３実施形態および図４に示す第４実施形態のように、パッド４を備えることができる。本発明において、パッド４は必須の部材ではないが、カテーテルの穿刺によってできた傷から滲み出た血液や体液を吸収したり、穿刺部からの感染などを防止したりするために、パッド４を備えることが可能である。
【００４８】
パッド４は、少なくとも基材２の底面側に設置する。即ち、基材２の底面側であれば、粘着剤層３の下側に設置しても、基材２と粘着剤層３の間に設置してもよい。あるいは、基材２とパッド４を、例えば、熱によるラミネーションなどの接着剤を用いない方法で積層させ、基材２のパッド４が設置されていない底面にのみ粘着剤層３を設けた構造としてもよい。
【００４９】
本発明で使用するパッド４は、円形、楕円形、多角形等（三角形、四角形、五角形、六角形、星型等）のいずれの形状でも良いが、これらの形状にカテーテルの穿刺部が観察可能な貫通開口４１を設けた略環状のものが好ましい。略環状のパッドとしては、アルファベットのＣの字、Ｕの字のような環状の一部が開いた形状のものや、パッドの一部にスリットを入れて環が開くようにしたものであってもよい。また、例えば、図３に示す第３実施形態および図４に示す第４実施形態のようなＵ字形、図５に示す第５実施形態のような楕円形、あるいは、図示しないが、コの字形、その他、内部をくり抜いた三角形、四角形などの多角形、円形など、自由な形状に設計することができる。
【００５０】
前述の通り、パッド４は、カテーテルの穿刺によってできた傷から滲み出た血液や体液の吸収や、穿刺部からの感染などの防止のために設置する。そのため、パッド４は、図３〜図５に記載の第３〜５実施形態のように、穿刺部を囲むように配置することが好ましく、図３に示す第３実施形態および図５に示す第５実施形態のように、穿刺部固定部２１と補強部２２との境目から固定片部２２２方向へずらした位置に配置することがより好ましい。パッド４を図３に示す第３実施形態および図５に示す第５実施形態のように配置することで、カテーテル穿刺部により近く配置されることになるため、血液や体液の吸収作用や、穿刺部からの感染などの防止作用をより高めることができる。また、前述の通り、炎症反応が見られる可能性の高い穿刺部の数ミリ〜数センチ先に観察補助部２１２を設けることができる。
【００５１】
また、補強部２２の切欠き部２２３と穿刺部固定部２１の間に位置する部分（図３符号２２４）には、パッド４を配置させないことが好ましい。例えば、本発明に係るカテーテル固定具１では、図５に示す第５実施形態のように楕円形のパッド４を用いたり、図６に示す第６実施形態のようにＵ字形のパッド４を切欠き部２２３とは逆方向に開口させた状態で設置したりして、補強部２２の切欠き部２２３と穿刺部固定部２１の間に位置する部分（図３符号２２４）にパッド４を配置することも可能である。しかし、補強部２２の切欠き部２２３と穿刺部固定部２１の間に位置する部分（図３符号２２４）は、後述するように、カテーテル固定時においてカテーテルの接続部Ｃ３を固定するために用いる可能性が高く、この部分にパッド４が配置されていると、パッドの厚さ、嵩高さにより接続部Ｃ３とこの補強部２２との密着性が損なわれ、この部分（図３符号２２４）に浮きや隙間ができ細菌等の汚染物質の侵入経路が発生する恐れがある。そこで、例えば、図３に示す第３実施形態や図４に示す第４実施形態のように、Ｕ字形のパッド４を切欠き部２２３方向に開口させた状態で設置するなどにより、補強部２２の切欠き部２２３と穿刺部固定部２１の間に位置する部分（図３符号２２４）には、パッド４を配置させないことが好ましい。
【００５２】
本発明に係るカテーテル固定具１に用いることができるパッド４は、編布、織布、不織布などの繊維材料、フォーム材料などで形成することができる。
また、本発明に係るカテーテル固定具１に用いることができるパッド４は、滲出液などの汚染を防ぐために、３〜２５ｇ／ｇの吸水量を有することが好ましく、また、カテーテルや基材２との順応性を得るためには、厚さが０．１〜３ｍｍの範囲であることが好ましい。
加えて、本発明に係るカテーテル固定具１に用いることができるパッド４は、皮膚伸縮時のカテーテルや体表面への順応性を高めるために、パッド４の縦方向又は横方向において５Ｎ荷重時に１５〜８５％の伸長率を有することが好ましい。
【００５３】
本発明に係るカテーテル固定具１に用いることができるパッド４は、菌の増殖を抑制するために、抗菌性を有することが好ましい。パッド４に抗菌性を付与する方法としては、パッド４を抗菌剤などで抗菌処理する方法などが挙げられる。抗菌剤としては、亜鉛、銀、銅などの抗菌性金属化合物、第４級アンモニウム化合物、ヨウ素化合物、グルコン酸クロルヘキシジンなどの公知の物質を使用することができる。
【００５４】
パッド４の具体的な抗菌処理の方法としては、繊維などに抗菌剤を吸着、練り込み、化学結合させる処理などを利用することができるが、アニオン性官能基を有する繊維において、そのアニオン性官能基の少なくとも一部に抗菌性金属塩を形成させる処理をしたものでパッド４を形成することが好ましい。パッド４を形成する繊維のアニオン性官能基に抗菌性金属塩及び／又は第４級アンモニウム塩を形成させることで、これらの抗菌剤をパッド４の繊維表面に均一に存在させることができる。従って、抗菌剤が少量であっても、十分な抗菌作用が奏されると共に、抗菌剤がアニオン性官能基を介して繊維に化学結合しているので抗菌持続性があり、無駄になる抗菌剤が少ないので経済的にも有利である。また、抗菌剤を繊維に練り込んだり、バインダーにより抗菌剤を繊維に付着させたりする場合に比べ、繊維が本来有する吸水性、肌触り、風合い等の特性が損なわれることがない。
【００５５】
アニオン性官能基を有する繊維としては、カルボキシアルキル化セルロース繊維、ポリアミド繊維、毛（羊毛、獣毛等）、絹などのカルボキシ基を有する繊維が好ましく、カルボキシメチル化セルロース繊維が特に好ましい。カルボキシアルキル化セルロース繊維の出発材料となるセルロース繊維としては、上述のセルロース系繊維を利用することができる。
【００５６】
抗菌性金属塩としては、亜鉛塩、銀塩、銅塩とすることが好ましく、白色のパッド４を変色させることがない亜鉛塩とすることが特に好ましい。第４級アンモニウム塩としては、セチルピリジニウム塩、ベンザルコニウム塩、ベンゼトニウム塩とすることが好ましい。本発明で用いるパッド４としては、カルボキシメチル化セルロース繊維のカルボキシ基に抗菌性金属として亜鉛塩又は銀塩を形成したものであることが特に好ましい。
【００５７】
＜剥離シート５＞
本発明に係るカテーテル固定具１には、粘着剤層３を被覆する剥離シート５を備えることができる。本発明に係るカテーテル固定具１に剥離シート５を備える場合、剥離シート５の形態は特に限定されず、自由に設計することができる。例えば、カテーテル固定具１の粘着剤層３を全体的に一枚の剥離シート５で被覆することもできるが、本発明では特に、図７に示す第７実施形態のように、少なくとも穿刺部固定部２１を被覆する第１剥離シート５１と、少なくとも固定片部２２２を被覆する第２剥離シート５２と、を含む剥離シート５で粘着剤層３を被覆することが好ましい。剥離シート５を第１剥離シート５１と第２剥離シート５２に分けることにより、例えば、先に第１剥離シート５１のみを剥離して、穿刺部固定部２１を用いてカテーテルの穿刺部を固定し、その後、第２剥離シート５２を剥離して、固定片部２２２を用いてカテーテルの接続部やチューブなどを固定することができる。このように、剥離シート５を２以上に分けて剥離できるように設計することで、カテーテル固定具１を貼付する際に折り目が付いて皺になったり、粘着剤層３同士が自己接着を起こして使用不能になったりすることを防止することができる。
【００５８】
図８（Ｉ）は、本発明に係るカテーテル固定具１の第８実施形態を底面から視た底面視模式平面図であり、図８（II）は、本発明に係るカテーテル固定具１の第８実施形態を側面方向から視た側面模式図である。第８実施形態に用いる剥離シート５は、穿刺部固定部２１を被覆する部分５１ａと剥離を補助するための把持部５１ｂとからなる第１剥離シート５１と、固定片部２２２を被覆する部分５２ａと剥離を補助するための把持部５２ｂとからなる第２剥離シート５２と、から形成されている。第８実施形態のように、各剥離シート５１および５２に、それぞれ把持部５１ｂおよび５２ｂを設けることで、カテーテル固定具１の貼付時の操作性をより向上させることができる。また、把持部５１ｂおよび５２ｂを設けることで、カテーテル固定具１の貼付を、粘着剤層３に全く触れずに行うことが可能となるため、例えば、医療従事者がグローブをはめたままの作業も可能である。
【００５９】
各は剥離シート５１および５２に、把持部５１ｂおよび５２ｂを設ける場合、その位置は特に限定されないが、第８実施形態のように、第１剥離シート５１の把持部５１ｂは第２剥離シート５２側に、第２剥離シート５２の把持部５２ｂは第１剥離シート５１側に、それぞれ設けることが好ましい。第８実施形態のような位置に、把持部５１ｂおよび５２ｂを設けることで、カテーテル固定具１を貼付する際に折り目が付いて皺になったり、粘着剤層３同士が自己接着を起こして使用不能になったりすることをより確実に防止することができる。
【００６０】
＜使用方法について＞
図９は、本発明に係るカテーテル固定具１の使用方法の一例を示す概念図であり、図９（Ｉ）は、本発明に係るカテーテル固定具１を用いてカテーテルＣを固定した状態を上面から視た上面視平面模式図であり、図９（II）は、本発明に係るカテーテル固定具１を用いてカテーテルＣを固定した状態を側面から視た側面模式図である。なお、本発明に係るカテーテル固定具１は、その形態に特徴があって、その使用方法は、図９に示す方法に限定されるものではない。
【００６１】
以下、前記図８および図９を用いて本発明に係るカテーテル固定具１の使用方法の一例を説明する。
まず、第１剥離シート５１を剥がし、カテーテルの穿刺部が穿刺部固定部２１およびパッド４の貫通開口４１から観察できるように、穿刺部固定部２１およびその周りの補強部２２でカテーテルの穿刺部Ｃ１を固定する。次に、第２剥離シート５２を剥がしながら、一対の固定片部２２２ａおよび２２２ｂを、カテーテルＣのチューブＣ２および接続部Ｃ３の下面において、重ね合わせるように皮膚に固定する。この際、補強部２２の切欠き部２２３と穿刺部固定部２１の間に位置する部分２２４が、カテーテルＣの接続部Ｃ３を包み込んだ状態で、カテーテルＣの接続部Ｃ３は、皮膚から浮いた状態で固定される。このようにカテーテルＣの接続部Ｃ３が補強部２２の切欠き部２２３と穿刺部固定部２１の間に位置する部分２２４で包み込まれた状態で固定されることにより、従来の上部からテープなどで固定する方法に比べ、長期に安定的に固定することが可能である。また、カテーテルＣの接続部Ｃ３は、皮膚から浮いた状態で固定されるため、接続部Ｃによる皮膚への圧迫や刺激を軽減させることができる。
【００６２】
図９に示すような固定方法を行うことができるのは、本発明に係るカテーテル固定具１の補強部２２が伸長性を有しており、且つ、本発明に係るカテーテル固定具１が、固定片部２２２の貼付位置を、自在に変更できる形態（特に、窪み部２２１、切欠き部２２３）を呈しているからである。
【００６３】
なお、固定片部２２２の貼付位置は、図９に示す位置に限らず、例えば、図示しないが、カテーテルＣの接続部Ｃ３および／またはチューブＣ２に巻き付けることでクッション性を高め、その上から、他の医療用テープなどを用いて接続部Ｃ３および／またはチューブＣ２を固定することも可能である。
【産業上の利用可能性】
【００６４】
本発明に係るカテーテル固定具は、カテーテルの穿刺部が観察可能であるにも関わらず全体的に適度な強度を有するため、正確な位置への容易な貼付が可能であり、且つ、固定片部の貼付部位を自在に変更することができるため、多種多様なカテーテル固定方法に対応することが可能である。より具体的には、医療従事者それぞれの手技の違いやカテーテルの形態の違い、カテーテル留置の部位やその期間などに応じた様々な固定方法に対応することが可能である。
【００６５】
また、本発明に係るカテーテル固定具の使用方法によっては、従来のテープなどで固定する方法に比べ、長期に安定的に固定することが可能である。また、カテーテルの接続部やチューブによる皮膚への圧迫や刺激を軽減させ、カテーテル留置による患者の負担を軽減することも可能である。
【符号の説明】
【００６６】
１  カテーテル固定具
２  基材
３  粘着剤層
２１  穿刺部固定部
２１２  観察補助部
２２  補強部
２２１  窪み部
２２２  固定片部
２２３  切欠き部
４  パッド
４１  貫通開口
５  剥離シート
５１  第１剥離シート
５２  第２剥離シート
Ｃ  カテーテル
Ｃ１  穿刺部
Ｃ２  チューブ
Ｃ３  接続部
【図１】
2014045874.tif 000004
【図２】
2014045874.tif 000005
【図３】
2014045874.tif 000006
【図４】
2014045874.tif 000007
【図５】
2014045874.tif 000008
【図６】
2014045874.tif 000009
【図７】
2014045874.tif 000010
【図８】
2014045874.tif 000011
【図９】
2014045874.tif 000012